(57)【特許請求の範囲】
【請求項１】
ワークピースを切削加工するためのフライス加工工具（１）であって、フライス加工ヘッド（３）に半径方向で配置されたスローアウェイチップ（２）の形の少なくとも１つの刃具が設けられており、該刃具が、フライス加工ヘッド（３）に設けられた回転対称的に形成されたＹ軸線（４）において回転可能に支承されている形式のものにおいて、スローアウェイチップ（２）が、フライス加工ヘッド（３）に締まり嵌め下で解離可能に固定された支承ピン（９）の自由端部（８）に公差遊び（７）のもと自由に回転可能に配置されており、自由に回転可能に支承されたスローアウェイチップ（２）が、支承ピン（９）からの自動解離に対して、フライス加工ヘッド（３）の材料（１２）によって、一方では面状に背面（１０）から、他方では部分的に前面（１１）から挟み込まれており、支承ピン（９）が、フライス加工ヘッド（３）において貫通した孔（１６）内に配置されていて、スローアウェイチップ（２）を回転支承するための円筒状の領域（１７）と、フライス加工ヘッド（３）の支持材料（１２）内に位置固定するための円錐形に形成された領域（１８）とを有していることを特徴とする、ワークピースを切削加工するためのフライス加工工具。
【請求項２】
支承ピン（９）が、円錐形に形成された領域（１８）内に中心のねじ山付き孔（２０）を有している、請求項１記載のフライス加工工具。
【請求項３】
支承ピン（９）が、円錐形に形成された領域（１８）において、孔（１６）内に設けられた円錐形部と協働するようになっている、請求項２記載のフライス加工工具。
【請求項４】
支承ピン（９）が、ねじ（２３）として形成されており、支承ピン（９）の、スローアウェイチップ（２）の回転支承部を形成するための軸部の円筒状の領域（２４）が、スローアウェイチップ（２）に設けられた円筒状の孔（１４）内に係合していて、支持されている、請求項１から３までのいずれか１項記載のフライス加工工具。
【請求項５】
スローアウェイチップ（２）が、回転支承のために、円筒状の盲孔（２１）を有している、請求項４記載のフライス加工工具。
【請求項６】
スローアウェイチップ（２）が、回転支承のために、中心の開口（２２）を備えた円筒状の盲孔（２１）を有している、請求項５記載のフライス加工工具。
【請求項７】
スローアウェイチップ（２）が、その前面（１１）に１つのチップポケット（２９）を有している、請求項６記載のフライス加工工具。
【請求項８】
スローアウェイチップ（２）が、その前面（１１）と背面（１０）とに、それぞれ１つのチップポケット（２９）を有している、請求項７記載のフライス加工工具。
【請求項９】
自由に回転可能に支承されたスローアウェイチップ（２）が、支承ピン（９）からの自動解離に対して、フライス加工ヘッド（３）の材料（１２）によって、一方では面状に背面（１０）から、他方では、フライス加工ヘッド（３）に設けられた保持エレメント（３０）によって前面（１１）から挟み込まれている、請求項１から８までのいずれか１項記載のフライス加工工具。
【請求項１０】
保持エレメント（３０）が、ねじ（３１）を有しており、該ねじ（３１）のねじ頭部（３２）が、回転可能に支承されたスローアウェイチップ（２）に対する正面側の当付け部を形成している、請求項９記載のフライス加工工具。
【請求項１１】
スローアウェイチップ（３．１）が、フライス加工ヘッド（２．１）に締まり嵌め下で解離可能に固定された支承ピン（９．１）の自由端部（８．１）に公差遊び（７．１）のもと自由に回転可能に配置されており、自由に回転可能に支承されたスローアウェイチップ（３．１）が、支承ピン（９．１）からの自動解離に対して、支承ピン（９．１）の自由端部（８．１）とスローアウェイチップ（３．１）の支承座（１０．１）との間の形状接続部によって防護されている、請求項１記載のフライス加工工具。
【請求項１２】
支承ピン（９．１）の自由端部（８．１）とスローアウェイチップ（３．１）の支承座（１０．１）との間の前記形状接続部が円錐形に形成されている、請求項１１記載のフライス加工工具。
【請求項１３】
円錐形の前記形状接続部が、支承ピン（９．１）の自由端部（８．１）もしくはスローアウェイチップ（３．１）の支承座（１０．１）の半分を上回って延びている、請求項１２記載のフライス加工工具。
【請求項１４】
支承ピン（９．１）が、フライス加工ヘッド（２．１）の支持材料内に緊締した状態に位置固定するためのねじとして形成された領域（１３．１）を有している、請求項１３記載のフライス加工工具。
【請求項１５】
自由に回転可能に支承された前記スローアウェイチップが、前記前面から、フライス加工ヘッド（２．１）に設けられた保持エレメント（１９．１）によって挟み込まれている、請求項１から１４までのいずれか１項記載のフライス加工工具。
【請求項１６】
支承ピンにおいて、該支承ピンが、フライス加工ヘッド（３）に半径方向で配置された、該フライス加工ヘッド（３）に設けられた回転対称的に形成されたＹ軸線（４）において回転可能に支承されたスローアウェイチップ（２）の形の少なくとも１つの刃具を備えた、ワークピースを切削加工するための請求項１から１５までのいずれか１項記載のフライス加工工具（１）に用いられるようになっていることを特徴とする、支承ピン。
【発明の詳細な説明】
【技術分野】
【０００１】
本発明は、ワークピースを切削加工するためのフライス加工工具であって、フライス加工ヘッドに半径方向で配置されたスローアウェイチップの形の少なくとも１つの刃具が設けられており、該刃具が、フライス加工ヘッドに設けられた回転対称的に形成されたＹ軸線において回転可能に支承されている形式のものに関する。
【０００２】
さらに、本発明は、支承ピンに関する。
【０００３】
背景技術
回転する刃具によるフライス加工は数年来公知の方法である。しかし、この公知の方法は小規模でしか製造において普及に至らなかった。この事例では、回転可能に支承された円形のカッティングディスクから成るアクティブなエレメントを備えた工具が使用される。カッティングディスクは、加工過程の間、切削プロセスと切断方向に対するカッティングディスク軸線の傾斜位置とによって運動学的に生じる自動的な回転運動を実施する。加工の間のカッティングディスクのこの回転運動によって、連続的に常に刃具の新たな箇所が係合する。これによって、各刃具点が短時間しか切断ゾーンに停滞しない。このことは、カッティングディスクの僅かな加熱を招く。
【０００４】
相応のフライスが、ここでは、たとえばドイツ民主共和国特許第１１８５４３号明細書に基づき公知である。この公知の例では、フライス加工ヘッドに、回転する旋削ディスクのほかに、固定の刃具も設けられており、こうして、特別な切断パターンが得られる。公知先行技術の別の例が、同じく米国特許第２８８５７６６号明細書に基づき公知である。この公知の別の例では、フライス加工ヘッドに回転可能に支承されたスローアウェイチップが設けられている。このスローアウェイチップは、回転対称的に形成された軸線においてフライス加工ヘッドに回転可能に支承されている。回転可能に支承されたスローアウェイチップは、この公知先行技術に基づく公知のフライス加工ヘッドでは、Ｕ字形に形成された凹部内に位置しており、これによって、フライス加工ヘッド内での軸の両側での保持が付与されている。
【０００５】
さらに、たとえば米国特許第５４７８１７５号明細書に記載されているような別の従来例が公知である。この刊行物には、回転可能な刃具が開示されている。この刃具はその背面に、一体成形された軸部を有している。この軸部は、フライス加工ヘッドの支持材料に設けられた盲孔内に回転可能に支承されている。また、等価の解決手段がドイツ連邦共和国特許出願公開第１０２００５０５１６９５号明細書に基づき公知である。この公知の解決手段では、特にスローアウェイチップが支持エレメントに固定されている。この場合、この支持エレメントは工具に回転可能に保持されている。支持エレメントはＹ軸線に対して同軸的に軸基部を有している。この軸基部は、工具に設けられた盲孔内に回転可能に案内されている。公知先行技術に基づき公知のこの例では、特に支持エレメントがアクティブに回転駆動されるように形成されていてよく、これによって、ここではフライス加工ヘッド内に設けられた伝動装置を介したフライス加工工具の回転運動に基づき、支持体に固定されたカッティングプレートが一緒に駆動されることが提案されている。相応の従来例は、スイス国特許第４８０１２０号明細書にも記載されている。
【０００６】
回転可能に支承されたカッティングディスクを備えたフライス加工工具の公知先行技術に基づき公知のこれらの解決手段では、公知の例が、回転可能に支承されるスローアウェイチップに関して極めて手間をかけて形成されることが不利であると見なされる。このことは、スローアウェイチップに対する手間をかけて行われる支承に起因している。このように、特にスローアウェイチップをフライス加工ヘッドから取り外すかもしくはスローアウェイチップを支持手段の取外し後にさらに支持手段自体から取り外すために、フライス加工ヘッドに対する複数回の係合が行われなければならないことによって、確かに回転可能に支承されたスローアウェイチップが交換されるようになっていることは、たとえば公知先行技術において公知の全ての解決手段独特のものである。これらの公知の解決手段では、特に回転可能に支承されるスローアウェイチップを提供するために、特にフライス加工ヘッドに適合されたスローアウェイチップが提供されなければならないことが更なる欠点と見なされる。
【０００７】
発明の開示
課題
したがって、本発明の課題は、半径方向に配置されて回転可能に支承されたスローアウェイチップを備えた、ワークピースを切削加工するためのフライス加工ヘッドを改良して、刃具を支承するためのフライス加工ヘッドの保持が著しく簡単になり、特にカッティングプレートの交換過程が著しく簡単に行われるようにすることである。
【０００８】
解決手段
この課題を解決するために本発明に係るフライス加工工具では、スローアウェイチップが、フライス加工ヘッドに締まり嵌め下で解離可能に固定された支承ピンの自由端部に公差遊びのもと自由に回転可能に配置されており、自由に回転可能に支承されたスローアウェイチップが、支承ピンからの自動解離に対して、フライス加工ヘッドの材料によって一方で背面から面状にかつ他方で前面から部分的に挟み込まれているかもしくは取り囲まれているようにした。
【０００９】
本発明に係るフライス加工工具の有利な態様によれば、支承ピンが、フライス加工ヘッドにおいて貫通した孔内に配置されている。
【００１０】
本発明に係るフライス加工工具の有利な態様によれば、支承ピンが、スローアウェイチップを回転支承するための前方の円筒状の領域と、フライス加工ヘッドの支持材料内に位置固定するための円錐形に形成された後方の領域とを有している。
【００１１】
本発明に係るフライス加工工具の有利な態様によれば、支承ピンが、円錐形に形成された後方の領域内に中心のねじ山付き孔を有している。
【００１２】
本発明に係るフライス加工工具の有利な態様によれば、支承ピンが、円錐形に形成された後方の領域において、孔内に設けられた円錐形部と協働するようになっている。
【００１３】
本発明に係るフライス加工工具の有利な態様によれば、支承ピンが、ねじとして形成されており、支承ピンの、スローアウェイチップの支承部を形成するための軸部の前方の領域が円筒状であり、該円筒状の領域が、孔内に係合していて、支持されている。
【００１４】
本発明に係るフライス加工工具の有利な態様によれば、スローアウェイチップが、回転支承のために、円筒状の孔を有している。
【００１５】
本発明に係るフライス加工工具の有利な態様によれば、スローアウェイチップが、回転支承のために、円筒状の盲孔を有している。
【００１６】
本発明に係るフライス加工工具の有利な態様によれば、スローアウェイチップが、回転支承のために、中心の開口を備えた円筒状の盲孔を有している。
【００１７】
本発明に係るフライス加工工具の有利な態様によれば、スローアウェイチップが、その前面に１つのチップポケットを有している。
【００１８】
本発明に係るフライス加工工具の有利な態様によれば、スローアウェイチップが、その前面と背面とに、それぞれ１つのチップポケットを有している。
【００１９】
本発明に係るフライス加工工具の有利な態様によれば、自由に回転可能に支承されたスローアウェイチップが、支承ピンからの自動解離に対して、フライス加工ヘッドの材料によって背面から面状にかつ他方で前面から、フライス加工ヘッドに設けられた保持エレメントによって挟み込まれている。
【００２０】
本発明に係るフライス加工工具の有利な態様によれば、保持エレメントが、ねじを有しており、該ねじのねじ頭部が、回転可能に支承されたスローアウェイチップの正面側の当付け部を形成している。
【００２１】
本発明に係るフライス加工工具の有利な態様によれば、スローアウェイチップが、フライス加工ヘッドに締まり嵌め下で解離可能に固定された支承ピンの自由端部に公差遊びのもと自由に回転可能に配置されており、自由に回転可能に支承されたスローアウェイチップが、支承ピンからの自動解離に対して、支承ピンの自由端部とスローアウェイチップの支承座との間の形状接続部によって防護されている。
【００２２】
本発明に係るフライス加工工具の有利な態様によれば、支承ピンの自由端部とスローアウェイチップの支承座との間の前記形状接続部が円錐形に形成されている。
【００２３】
本発明に係るフライス加工工具の有利な態様によれば、円錐形の前記形状接続部が、有利には支承ピンの自由端部もしくはスローアウェイチップの支承座の半分を幾分上回って延びている。
【００２４】
本発明に係るフライス加工工具の有利な態様によれば、支承ピンが、後方の領域において、フライス加工ヘッドの支持材料内に緊締した状態に位置固定するためのねじとして形成されている。
【００２５】
本発明に係るフライス加工工具の有利な態様によれば、自由に回転可能に支承された前記スローアウェイチップが、前記前面から、フライス加工ヘッドに設けられた保持エレメントによって挟み込まれている。
【００２６】
さらに、前述した課題を解決するために本発明に係る支承ピンでは、該支承ピンが、フライス加工ヘッドに半径方向で配置された、該フライス加工ヘッドに設けられた回転対称的に形成されたＹ軸線において回転可能に支承されたスローアウェイチップの形の少なくとも１つの刃具を備えた、ワークピースを切削加工するための本発明に係るフライス加工工具に用いられるようになっているようにした。
【００２７】
本発明によって達成される利点は、特にフライス加工ヘッドの支持材料による回転するスローアウェイチップの挟込みに相俟ったピン解決手段に基づき、保持器内で回転するスローアウェイチップが提供されることにある。このスローアウェイチップは、１つには、穿孔過程の間に材料内に侵入するために、十分な運動自由度もしくは回転自由度を有していて、もう１つには、フライス加工時に相応のチップを取り除くことができる。この場合、スローアウェイチップの簡単な保持は、支承ピンに相俟ったフライスヘッドへの形状付与によってしか提供されない。したがって、刃具が自動的にその支承部から外れる危険なしに、回転するディスクが、特に切削時に十分な回転自由度を有していることが保証される。
【００２８】
この場合、スローアウェイチップは、フライス加工ヘッドに締まり嵌め下で解離可能に固定された支承ピンの自由端部に公差遊びのもと自由に回転可能に配置されており、自由に回転可能に支承されたスローアウェイチップは、支承ピンからの自動解離に対して、フライス加工ヘッドの材料によって一方で背面から面状にかつ他方で前面から部分的に挟み込まれているかもしくは保持されている。スローアウェイチップに対する回転軸線を成す解離可能に固定された支承ピンに基づき、この支承ピンの簡単な解離によってスローアウェイチップがその保持器内で自由端部から外され、これによって、凹部からのスローアウェイチップの簡単な取外しもしくは落下が付与されていることが保証される。このためには、支承ピンが、フライス加工ヘッドにおいて貫通した孔内に配置されている。いま、支承ピンを片側から容易に押し通すことができ、これによって、支承ピンが、特にスローアウェイチップの座から抜け出し、支承ピンを凹部から取り出すことができることは明らかである。
【００２９】
本発明の改良態様では、支承ピンが、スローアウェイチップを回転支承するための前方の円筒状の領域と、フライス加工ヘッドの支持材料に位置固定するための円錐形に支承された後方の領域とを有している。したがって、１つには、自由端部としての剛性的な支承軸を形成するピンが固着力によってフライス加工ヘッドの材料内に保持されることが保証される。もう１つには、特に支承ピンの前方の円筒状の領域がスローアウェイチップに対する一種の滑り支承面を形成している。
【００３０】
本発明の改良態様では、支承ピンが、円錐形に形成された後方の領域内に中心のねじ山付き孔を有していてよい。このねじ山付き孔は、特にここでは、たとえば支承ピンを、貫通した孔内に緊締するために使用されてもよいし、たとえば工具を当て付け、これによって、この工具により支承ピンを座から打ち出すために使用されてもよい。本発明の改良態様では、支承ピンが、円錐形に形成された後方の領域において、孔内に設けられた円錐形部と協働する。したがって、形状接続的な嵌合座がフライス加工ヘッドの支持材料内に提供される。
【００３１】
本発明の特に有利な態様によれば、支承ピンが、ねじとして形成されていてよく、支承ピンの、スローアウェイチップの支承部を形成するための軸部の前方の領域が円筒状に形成されており、この円筒状の領域が、孔内に係合していて、そこに支持されていることが提案されていてもよい。この場合、ねじ軸部の円筒状の領域がフライス加工ヘッド材料内に到達し、ストッパに対して緊締した状態にねじ締結され、これによって、支承ピンとして形成されたねじがフライス加工ヘッド材料内に剛性的な支承軸を形成している。したがって、ねじの前方の軸部領域が、前述した形式と同様に円筒状の滑り支承軸を形成している。
【００３２】
スローアウェイチップを回転支承するための中心の孔は盲孔であってもよい。したがって、スローアウェイチップが前方の領域で閉鎖されて形成され、これによって、支承保持部がスローアウェイチップによって完全に取り囲まれていることが保証される。ここで、特に支承ピンの解離を簡単にするために、スローアウェイチップが、回転支承のために、中心の開口を備えた円筒状の盲孔を有していることが提案されていてもよい。中心の開口を通して、支承ピンを押し出すための工具を当て付けることができる。
【００３３】
スローアウェイチップの改良態様では、このスローアウェイチップがその正面に１つのチップポケットを有していてよい。この場合、このチップポケットは、正面だけでなく、背面にも設けられていてよい。スローアウェイチップの、運動学的に生じる自動的な回転運動を助成するためには、フライス加工ヘッドに設けられた回転対称的に形成されたＹ軸線が傾いて延びていることが提案される。この場合、傾きは、Ｘ軸線に対する僅かな正の勾配または僅かな負の勾配を有していてよい。
【００３４】
本発明の特に有利な態様によれば、挟み込むフライス材料の代わりに、スローアウェイチップがその正面から保持エレメントと協働してよい。この場合、自由に回転可能に支承されたスローアウェイチップが、支承ピンからの自動解離に対して、フライス加工ヘッドの材料によって背面から面状にかつ他方で前面から、フライス加工ヘッドに設けられた保持エレメントによって挟み込まれている。保持エレメントはねじを有しており、このねじのねじ頭部は、回転可能に支承されたスローアウェイチップの正面側の当付け部を形成している。
【００３５】
本発明の有利な改良態様によれば、フライス加工ヘッドの支持材料による回転するスローアウェイチップの挟込みに相俟ったピン解決手段に基づき、回転するスローアウェイチップが提供される。このスローアウェイチップは、１つには、穿孔過程の間に材料内に侵入するために、十分な運動自由度もしくは回転自由度を有していて、もう１つには、フライス加工時に相応のチップを取り除くことができる。この場合、スローアウェイチップの簡単な保持は、支承ピンに相俟ったフライスヘッドへの形状付与によってしか提供されない。したがって、刃具が自動的にその支承部から外れる危険なしに、回転するディスクが、特に切削時に十分な回転自由度を有していることが保証される。
【００３６】
この場合、スローアウェイチップは、フライス加工ヘッドに締まり嵌め下で解離可能に固定された支承ピンの自由端部に公差遊びのもと自由に回転可能に配置されており、自由に回転可能に支承されたスローアウェイチップは、支承ピンからの自動解離に対して、支承ピンの自由端部とスローアウェイチップの支承座との間の形状接続部によって防護されている。この構成は、専ら形状接続部によって支承ピンに保持される自由に回転可能なスローアウェイチップを保証する。この場合、支承ピンの自由端部とスローアウェイチップの支承部自体との間の形状接続部は円錐形に形成されている。この構成に基づき、スローアウェイチップの取付けもしくは使用が極端に簡単となる。支承ピンがねじり出されると、スローアウェイチップを支承ピンから取り外すことができる。この場合、形状接続支承部は、円錐形の形状接続部が、有利には支承ピンの自由端部もしくはスローアウェイチップの支承座の半分を幾分上回って延びているように延びている。
【００３７】
この場合、有利な構成によれば、支承ピンの自由端部が、スローアウェイチップを回転支承するための円筒状の領域を有している。この領域には、フライス加工ヘッドの支持材料内に位置固定しならびにセンタリングするための円錐形に形成された別の領域が続いている。これによって、常にフライス加工ヘッド材料内での支承ピンのセンタリングされた嵌合が与えられていることが保証される。本発明の改良態様では、支承ピンが、後方の領域において、フライス加工ヘッドの支持材料内に緊締した状態に位置固定するためのねじとして形成されている。スローアウェイチップ自体は回転支承のために円錐形の孔を有している。この円錐形の孔には、円筒状の領域が続いている。円錐形の領域ならびに円筒状の領域は、支承ピンの円錐形部ならびに円筒状の領域に合致させられている。本発明の有利な改良態様によれば、スローアウェイチップがその前面に１つのチップポケットを有している。
【００３８】
本発明の特に有利な改良態様によれば、回転するスローアウェイチップに対する付加的な保持器形成のために、一方では、スローアウェイチップが、フライス加工ヘッドの材料によって背面から取り囲まれており、他方では、保持器が前面から、フライス加工ヘッドに設けられた保持エレメントによって満たされてよい。この場合、この保持エレメントはプレートを有している。このプレートは固定手段、有利にはねじによってフライス加工ヘッドに固定されている。この場合、プレートの所定の領域がスローアウェイチップの前面に張り出している。この場合、有利な改良態様では、プレートが、有利にはフライス加工ヘッドに設けられた凹状成形部内に挿入されているかもしくは配置されている。これによって、特に保持器を形成する保持エレメントの形状安定的な位置が得られる。
【図面の簡単な説明】
【００３９】
【図１】本発明に係るフライス加工工具の第１の実施の形態を示す図であり、ａは、フライス加工工具の側面図であり、ｂは、フライス加工工具の斜視図であり、ｃは、フライス加工工具の平面図であり、ｄは、フライス加工工具の断面側面図であり、ｅは、フライス加工工具の詳細図である。
【図２】図１に示したフライス加工工具の別の実施の形態を示す図であり、ａは、フライス加工工具の側面図であり、ｂは、フライス加工工具の斜視図であり、ｃは、フライス加工工具の平面図であり、ｄは、フライス加工工具の断面側面図であり、ｅは、フライス加工工具の詳細図である。
【図３】図１に示したフライス加工工具のさらに別の実施の形態を示す図であり、ａは、フライス加工工具の側面図であり、ｂは、フライス加工工具の斜視図であり、ｃは、フライス加工工具の平面図であり、ｄは、フライス加工工具の断面側面図であり、ｅは、フライス加工工具の詳細図である。
【図４】図１に示したフライス加工工具のさらに別の実施の形態を示す図であり、ａは、フライス加工工具の側面図であり、ｂは、フライス加工工具の斜視図であり、ｃは、フライス加工工具の平面図であり、ｄは、フライス加工工具の断面側面図であり、ｅは、フライス加工工具の詳細図である。
【図５】ねじとして形成された支承ピンを備えたフライス加工工具の実施の形態を示す図であり、ａは、フライス加工工具の側面図であり、ｂは、フライス加工工具の斜視図であり、ｃは、フライス加工工具の平面図であり、ｄは、フライス加工工具の断面側面図であり、ｅは、フライス加工工具の詳細図である。
【図６】ピン軸線の正勾配を備えたフライス加工工具を示す図であり、ａは、フライス加工工具の側面図であり、ｂは、フライス加工工具の斜視図であり、ｃは、フライス加工工具の平面図であり、ｄは、フライス加工工具の断面側面図であり、ｅは、フライス加工工具の詳細図である。
【図７】ピン軸線の負勾配を備えたフライス加工工具を示す図であり、ａは、フライス加工工具の側面図であり、ｂは、フライス加工工具の斜視図であり、ｃは、フライス加工工具の平面図であり、ｄは、フライス加工工具の断面側面図であり、ｅは、フライス加工工具の詳細図である。
【図８】支承ピンの詳細図であり、ａは、支承ピンの側面図であり、ｂは、支承ピンの平面図であり、ｃは、支承ピンの断面図であり、ｄは、支承ピンの斜視図である。
【図９】図１に示したフライス加工工具のさらに別の実施の形態を示す図であり、ａは、フライス加工工具の側面図であり、ｂは、ａの側面図を９０゜回動させた側面図であり、ｃは、フライス加工工具の斜視図であり、ｄは、フライス加工工具の平面図であり、ｅは、フライス加工工具の断面図である。
【図１０】本発明に係るフライス加工工具の別の実施の形態の側面図である。
【図１１】図１０に示したフライス加工工具の平面図である。
【図１２】図１０に示した切断線Ａ−Ａに沿ったフライス加工工具の断面側面図である。
【図１３】図１２に示したフライス加工工具の詳細な露呈断面図である。
【図１４】本発明に係るフライス加工工具のさらに別の実施の形態の平面図である。
【図１５】保持エレメントを備えたフライス加工工具の露呈断面図である。
【００４０】
発明を実施するための最良の形態
本発明の実施の形態を図１〜図１５につき詳しく説明する。
【００４１】
図１には、本発明に係るフライス工具１の第１の実施の形態が示してある。図１では、それぞれ側面図ａ、斜視図ｂ、平面図ｃならびに露呈断面図ｄにおける詳細図から、フライス加工工具１を認めることができる。詳細図ｅには、特にフライス加工ヘッド３へのスローアウェイチップ２の配置形態が露呈断面図で示してある。フライス工具１は、ワークピースの切削加工のために規定されている。フライス加工工具１のフライス加工ヘッド３には、半径方向で配置された少なくとも１つのスローアウェイチップ２が設けられている。このスローアウェイチップ２は、フライス加工ヘッド３に設けられた回転対称的に形成されたＹ軸線４において回転可能に支承されている。特に図１ｂの斜視図から認めることができるように、特にＺ軸線はフライス加工工具１の回転軸線５を形成している。Ｘ軸線は、符号６で示した切断水平線を占めている。
【００４２】
いま、Ｙ軸線４が回転対称的にフライス加工ヘッド３に設けられていることは明らかである。Ｙ軸線４は回転軸線５に対してずらされて延びている。特に図１ｃ，図１ｄおよび図１ｅから認めることができるように、スローアウェイチップ２は、フライス加工ヘッド３に締まり嵌め下で解離可能に固定された支承ピン９の自由端部８に公差遊び７のもと自由に回転可能に配置されている。自由に回転可能に支承されたスローアウェイチップ２は、フライス加工ヘッド３の材料１２によって一方で背面１０から面状にかつ他方で前面１１から部分的に挟み込まれているかもしくは取り囲まれているように、支承ピン９からの自動解離に対して防護されている。このことは、特に図１ａから認めることができる。スローアウェイチップ２の前面１１の所定の領域がフライス加工ヘッド３の材料１２によって覆われていることが明確になる。相応のことが、図１ｅの断面図にも認めることができる。この断面図では、特にフライス加工ヘッド材料１２の下側の付設部１３がスローアウェイチップ２の前面１１に被さっている。
【００４３】
したがって、図１ｅを見ると、スローアウェイチップ２が強制保持器のように保持されることが明確になる。この強制保持器は、支承ピン９の、スローアウェイチップ２の中心孔１４内に係合する自由端部８と、回転可能に支承されたスローアウェイチップ２に前面１１から被さる、フライス材料１２によって規定された形状付与部と、背面側の当付け部１５とによって規定される。
【００４４】
図１ｅの詳細図から認めることができるように、支承ピン９は、フライス加工ヘッド３において貫通した孔１６内に配置されている。支承ピン９自体は、図１ｅおよび図８ａ〜ｄの詳細図に示したように、円筒状に成形された前方の領域１７を有している。この領域１７は、スローアウェイチップ２を回転支承するために規定されている。したがって、円筒状の領域１７はスローアウェイチップ２に対して一種の滑り支承部を提供している。この滑り支承部には、スローアウェイチップ２が自由に回転可能に支承されている。支承ピン９は後方の領域に、フライス加工ヘッド３のフライス加工ヘッド材料１２内に位置固定するための円錐形に形成された領域１８を有している。支承ピン９は、円錐形に形成された後方の領域１８において、貫通した孔１６内に設けられた円錐形部と協働し、これによって、形状接続に基づき支承ピン９が専ら固着力によってスローアウェイチップ２に対する剛性軸を形成している。特に支承ピン９における円錐形の領域１８から円筒状の領域１７への移行領域には、たとえば全周にわたって延びる面取り部１９が設けられていてよい。
【００４５】
いま、図１ａ〜図１ｅに示したようなスローアウェイチップ２をフライス加工ヘッド３から取り外したい場合には、支承ピン９を円錐形部に対する簡単な打出しもしくは押出しによって送り出すことができ、これによって、この支承ピン９の円筒状の領域１７が、スローアウェイチップ２の中心孔１４内から抜き出され、スローアウェイチップ２を、フライス加工材料１２によって形成された保持器から取り外すことができることは明らかである。新たなスローアウェイチップ２を再び使用したい場合には、保持器の自由室内にスローアウェイチップ２を挿入することができる。その後、支承ピン９が再び円錐形部の方向に打ち込まれるかもしくは押し込まれさえすればよい。
【００４６】
図２ａ〜図２ｅに示した実施の形態は、支承ピン９が後方の円錐形の領域１８内にねじ山付き孔２０を有している点でしか異なっていない。このねじ山付き孔２０は、特にここでは取外し工具（図示せず）を支承ピン９に当て付けることができるために使用することができる。また、この支承ピン９の後方の領域１８を、貫通した孔１６の壁に対して緊締する締付けねじもしくは緊締ねじをねじ山付き孔２０内にねじり込むことができることも可能である。
【００４７】
図３ａ〜図３ｅには、スローアウェイチップ２の変化形態が示してある。この実施の形態では、このスローアウェイチップ２が回転支承のために円筒状の盲孔２１を有している。この構成に基づき、たとえば図３ａおよび図３ｂに示したように、閉鎖された前面１１を備えたスローアウェイチップ２が得られる。図３に示した変化形態の改良形態が図４に示してある。盲孔２１はさらに付加的に中心の開口２２を備えている。この開口２２によって、すでに図１の実施の形態に対して説明したように、同じく工具を当て付けることができ、これによって、支承ピン９が後方に打ち出される。
【００４８】
図５ａ〜図５ｅに示した別の可能な実施の形態として、支承ピン９がねじ２３として形成されたフライス加工ヘッド３が示してある。ねじ２３の軸部の前方の領域２４は、スローアウェイチップ２の支承部を形成するために、同じく円筒状に成形されている。円筒状の領域２４は孔１４内に係合している。ねじ２３の後方の領域２５はねじ山として形成されており、これによって、ねじ２３を孔１６内にねじり込むことができる。円筒状の前方の領域２４のつば縁部２６が、孔１６に設けられたストッパ２７に支持された状態に圧着されている。したがって、回転可能に支承されたスローアウェイチップ２に対する剛性軸が同様に提供される。図５ｅから認めることができるように、ねじ頭部２８はスローアウェイチップ２に被さるように形成されている。しかし、保持器による保持に基づき、たとえばねじ頭部解決手段ではなく、六角穴解決手段も可能となる。この場合には、ねじ頭部２８が不要になる。
【００４９】
図６および図７には、それぞれ２つの実施の形態が示してある。この実施の形態では、フライス加工ヘッド３に設けられた回転対称的に形成されたＹ軸線４が傾いて延びている。したがって、たとえば図６ａ〜図６ｅには、傾きがＸ軸線６に対する僅かな正勾配を有する実施の形態が示してあり、図７ａ〜図７ｅには、Ｘ軸線６に対する僅かな負勾配が示してある。図６および図７に示したスローアウェイチップ２では、図７に示したスローアウェイチップ２が１つのチップポケット２９を有していることを挙げることができる。図６には、正面および背面にそれぞれ１つのチップポケット２９を有するスローアウェイチップ２が示してある。
【００５０】
図９に示した本発明の特に有利な実施の形態によれば、挟み込むフライス材料１２の代わりに、スローアウェイチップ２がその前面１１から保持エレメント３０と協働することができる。この実施の形態では、自由に回転可能に支承されたスローアウェイチップ２が、支承ピン９からの自動解離に対してフライス加工ヘッド３の材料１２によって背面１０から面状にかつ前面１１から、フライス加工ヘッド３に設けられた保持エレメント３０によって挟み込まれている。この保持エレメント３０はねじ３１を有している。このねじ３１のねじ頭部３２は、回転可能に支承されたスローアウェイチップ２に対する正面側の当付け部を形成している。
【００５１】
図１０〜図１３には、ワークピースを切削加工するためのフライス加工工具１．１の別の実施の形態が示してある。このフライス加工工具１．１は、フライス加工ヘッド２．１に半径方向で配置されたスローアウェイチップの形の少なくとも１つの刃具３．１を備えている。この刃具３．１は、フライス加工ヘッド２．１に設けられた回転対称的に形成されたＹ軸線４．１において回転可能に支承されている。
【００５２】
図１０〜図１３において、Ｚ軸線はフライス加工工具１．１の回転軸線５．１を成している。Ｘ軸線は、符号６．１で示した切断水平線を占めている。いま、Ｙ軸線が回転対称的にフライス加工ヘッド２．１に設けられていることは明らかである。Ｙ軸線は回転軸線５．１に対してずらされて延びている。
【００５３】
図１０〜図１３から認めることができるように、スローアウェイチップ３．１は、フライス加工ヘッド２．１に締まり嵌め下で解離可能に固定された支承ピン９．１の自由端部８．１に公差遊び７．１のもと自由に回転可能に配置されている。自由に回転可能に支承されたスローアウェイチップ３．１は、このスローアウェイチップ３．１と支承ピン９．１の自由端部８．１とが、この支承ピン９．１の自由端部８．１とスローアウェイチップ３．１の支承座１０．１との間の形状接続部によって位置決めされているように、支承ピン９．１からの自動解離に対して防護されている。このことは、特に図１２および図１３に明確に認めることができる。両図には、特にここでは滑り支承部の形の支承箇所の形状接続部を認めることができる。支承ピン９．１の自由端部８．１とスローアウェイチップ３．１の支承座１０．１との間の形状接続部は円錐形に形成されている。この円錐形の形状接続部は、有利には支承ピン９．１の自由端部８．１もしくはスローアウェイチップ３．１の支承座１０．１の半分を幾分上回って延びている。
【００５４】
支承ピン９．１の自由端部８．１は、スローアウェイチップ３．１を回転支承するための円筒状の領域１１．１を有している。この領域１１．１には、フライス加工ヘッド２．１の支持材料内に位置固定しならびにセンタリングするための円錐形に形成された別の領域１２．１が続いている。すなわち、支承ピン９．１がフライス加工ヘッド２．１の材料内にねじり込まれると、特に支承ピン９．１の円錐形の領域１２．１がフライス加工ヘッド材料の円錐形部内に引き込まれ、これによって、ここで、支承ピン９．１の自由端部８．１がその回転軸線においてＹ軸線４．１にセンタリングされる。
【００５５】
図１２および図１３から認めることができるように、支承ピン９．１は後方の領域１３．１において、フライス加工ヘッド２．１の支持材料内に緊締した状態に位置固定するためのねじとして形成されている。支承ピン９．１を位置固定するためには、たとえば図１０に認めることができるように、たとえば六角穴１４．１が支承ピン９．１の前方の端面に設けられていてよい。フライス加工ヘッド材料に設けられた貫通した孔１５．１において、たとえば六角穴が支承ピン９．１の後方の端部に設けられていてもよく、これによって、支承ピン９．１を後方においてフライス加工ヘッド材料から解離することができ、こうして、スローアウェイチップ３．１が解離され、取り外される。
【００５６】
形状接続を提供するためには、スローアウェイチップ３．１が回転支承のために同じく円錐形の孔１６．１を有している。この孔１６．１には、相応に円筒状の領域１７．１が続いている。有利な改良形態によれば、スローアウェイチップ３．１がその前面にチップポケット１８．１を有しており、これによって、コントロールされたチップを、回転するスローアウェイチップ３．１によって加工除去することができる。
【００５７】
図１４および図１５に示した本発明の特別な実施の形態によれば、付加的にスローアウェイチップ３．１の前面に保持エレメント１９．１が設けられている。この保持エレメント１９．１は、特にスローアウェイチップ３．１の前面を部分的に挟み込んでいる。スローアウェイチップ３．１の下側の領域に保持器が形成される。この保持器内には、自由に回転可能なスローアウェイチップ３．１が挟み込まれている。保持エレメント１９．１はプレートを有している。このプレートは固定手段２０．１、有利にはねじによってフライス加工ヘッド２．１に固定されている。プレートは、有利にはフライス加工ヘッド２．１に設けられた、たとえば図１０に示したような凹状成形部２１．１内に位置することができるかまたは配置することができる。図１４および図１５の実施の形態から認めることができるように、保持エレメント１９．１は、ここでは、固定手段２０．１、有利にはねじによって位置固定された丸み付けられたプレートとして端面に形成されている。プレート状のエレメントは部分的に凹状成形部２１．１に被さっており、これによって、プレート状のエレメントが所定の領域でスローアウェイチップ３．１に被さっている。これによって、スローアウェイチップ３．１の付加的な位置決めが達成されるので、これによって、自動解離過程が阻止される。
【符号の説明】
【００５８】
１  フライス加工工具
２  スローアウェイチップ
３  フライス加工ヘッド
４  Ｙ軸線
５  Ｚ軸線
６  Ｘ軸線
７  公差遊び
８  自由端部
９  支承ピン
１０  スローアウェイチップの背面
１１  スローアウェイチップの前面
１２  フライス加工ヘッドの材料
１３  下側の付設部
１４  スローアウェイチップの中心孔
１５  スローアウェイチップに対する背面側の当付け部
１６  貫通した孔
１７  円筒状の領域
１８  円錐形の領域
１９  面取り部
２０  ねじ山付き孔
２１  盲孔
２２  中心の開口
２３  ねじ
２４  前方の領域
２５  後方の領域
２６  つば縁部
２７  ストッパ
２８  ねじ頭部
２９  チップポケット
３０  保持エレメント
３１  ねじ
３２  ねじ頭部
１．１  フライス加工工具
２．１  フライス加工ヘッド
３．１  スローアウェイチップ
４．１  Ｙ軸線またはスローアウェイチップの回転軸線
５．１  Ｚ軸線または回転軸線
６．１  Ｘ軸線または切断水平線
７．１  公差遊び
８．１  自由端部
９．１  支承ピン
１０．１  支承座
１１．１  円筒状の領域
１２．１  円錐形の領域
１３．１  後方の領域
１４．１  六角穴
１５．１  孔
１６．１  円錐形の孔
１７．１  円筒状の孔
１８．１  チップポケット
１９．１  保持エレメント
２０．１  固定手段、有利にはねじ
２１．１  凹状成形部
【図１】
0005496177.tif 000002
【図２】
0005496177.tif 000003
【図３】
0005496177.tif 000004
【図４】
0005496177.tif 000005
【図５】
0005496177.tif 000006
【図６】
0005496177.tif 000007
【図７】
0005496177.tif 000008
【図８】
0005496177.tif 000009
【図９】
0005496177.tif 000010
【図１０】
0005496177.tif 000011
【図１１】
0005496177.tif 000012
【図１２】
0005496177.tif 000013
【図１３】
0005496177.tif 000014
【図１４】
0005496177.tif 000015
【図１５】
0005496177.tif 000016